【手続補正書】
【提出日】令和1年7月4日(2019.7.4)
【手続補正１】
【補正対象書類名】特許請求の範囲
【補正対象項目名】全文
【補正方法】変更
【補正の内容】
【特許請求の範囲】
【請求項１】
グラフィックス・プロセッシング・ユニットと第１のメモリとを含むサーバ・コンピュータを準備することを含む方法であって、前記サーバ・コンピュータは、
ａ）複数の測定された２−Ｄ投影イメージから再構築された３−Ｄ体積イメージを受信するものであり、
ｂ）３つ以上の視覚方向（θ）に基づき３つ以上の生成２−Ｄ投影イメージを計算するものであり、ここで、第１の位置とオブジェクトとの間に描かれた第１の直線によって生成された第１の視覚方向を使用して、第１の生成２−Ｄ投影イメージを計算し、前記第１の直線と前記第１の視覚方向との間の角度は、θ０によって与えられ、θ０はゼロに等しく、第２の位置と前記オブジェクトとの間に描かれた第２の直線によって生成された第２の視覚方向を使用して、第２の生成２−Ｄ投影イメージを計算し、前記第２の直線と前記第１の視覚方向との間の角度は、θ１によって与えられ、第３の位置と前記オブジェクトとの間に描かれた第３の直線によって生成された第３の視覚方向を少なくとも使用して、第３の生成２−Ｄ投影イメージを計算し、前記第３の直線と前記第１の視覚方向との間の角度は、θ２であり、および
ｃ）前記３つ以上の生成２−Ｄ投影イメージと視覚命令とを、グラフィックス表示ユニットと第２のメモリとを含むリモート・デバイスに送信するものであり、ここで、前記３つ以上の生成２−Ｄ投影イメージは、前記第２のメモリに格納され、前記視覚命令は、θの増加および減少のうち一方または両方に相当する時間遅延内に、前記３つ以上の生成２−Ｄ投影イメージを前記グラフィックス表示ユニット上に表示することを決定する、
方法。
【請求項２】
前記３つ以上の生成２−Ｄ投影イメージのうち少なくとも１つの生成２−Ｄ投影イメージは、
ｉ）微小石灰化、
ｉｉ）閉塞、
ｉｉｉ）直接的な比較を使用して、微小石灰化、および
ｉｖ）直接的な比較を使用して、閉塞を識別する生成２−Ｄ投影イメージからなる群から選択される、請求項１に記載の方法。
【請求項３】
前記３つ以上の生成２−Ｄ投影イメージのうち少なくとも１つの生成２−Ｄ投影イメージは、
ｉ）前記第１の生成２−Ｄ投影イメージの識別、
ｉｉ）前記第２の生成２−Ｄ投影イメージの識別、
ｉｉｉ）微小石灰化の識別、
ｉｖ）閉塞の識別、
ｖ）前記第１の生成２−Ｄ投影イメージとの直接的な比較、
ｖｉ）前記第２の生成２−Ｄ投影イメージとの直接的な比較
ｖｉｉ）微小石灰化との直接的な比較、および
ｖｉｉｉ）閉塞の直接的な比較
を改善する生成２−Ｄ投影イメージからなる群から選択される、請求項１または２に記載の方法。
【請求項４】
前記３−Ｄ体積イメージは、デジタル胸部トモシンセシスイメージである、請求項１から３に記載の方法。
【請求項５】
前記３つ以上の生成２−Ｄ投影イメージは、ビデオとして表示される、請求項１から４に記載の方法。
【請求項６】
前記ビデオは、動的比較を表示する、請求項５に記載の方法。
【請求項７】
前記視覚方向は、周期的連続数学関数に従って選択される、請求項１から６に記載の方法。
【請求項８】
前記３つ以上の生成２−Ｄ投影イメージは、前記周期的連続数学関数の１周期にわたる視覚方向から生成される、請求項７に記載の方法。
【請求項９】
レンダリングされた１つまたは複数の生成２−Ｄ投影イメージを受信することをさらに含む、請求項１から８に記載の方法。
【請求項１０】
前記レンダリングは、サーバ上で行われる、請求項９に記載の方法。
【請求項１１】
前記第１のメモリおよび前記第２のメモリの一方または両方は、キャッシュである、請求項１から９に記載の方法。，
【請求項１２】
前記視覚命令をキャッシュに格納することをさらに含む、請求項１１に記載の方法。
【請求項１３】
前記視覚命令を使用して、前記３つ以上の生成２−Ｄ投影イメージをビデオとしてフォーマットすることをさらに含む、請求項１１に記載の方法。
【請求項１４】
前記視覚命令を実行可能なファイルとして前記第２のメモリに格納して、前記３つ以上の生成２−Ｄ投影イメージをビデオとして表示することをさらに含む、請求項１１に記載の方法。
【請求項１５】
グラフィックス・プロセッシング・ユニットと第１のメモリとを含むサーバ・コンピュータを準備することを含む方法であって、前記サーバ・コンピュータは、
ａ）第１の測定時間で測定される第１の組織の第１の３−Ｄ体積イメージを受信するものであり、
ｂ）複数の視覚方向を使用して、前記第１の３−Ｄ体積イメージの複数の生成２−Ｄ投影イメージを計算するものであり、
ｃ）前記複数の生成２−Ｄ投影イメージを比較して、閉塞を識別する第１の視覚方向を識別するものであり、ここで、前記第１の視覚方向は、第１の生成２−Ｄ投影イメージに相当し、
ｄ）第２の３−Ｄ体積イメージを受信するものであり、ここで、前記第２の３−Ｄ体積イメージは、
（ｉ）前記第１の測定時間の前に測定される前記第１の組織の第２の３−Ｄ体積イメージと、
（ｉｉ）前記第１の測定時間の後に測定される前記第１の組織の第２の３−Ｄ体積イメージと、
（ｉｉｉ）前記第１の測定時間に測定される第２の組織の第２の３−Ｄ体積イメージであって、前記第２の組織の前記第２の３−Ｄ体積イメージは、第１の組織の前記第１の３−Ｄ体積イメージの構造比較を行うことができる、イメージと、
（ｉｖ）前記第１の測定時間の前に測定される第２の組織の第２の３−Ｄ体積イメージであって、前記第２の組織の前記第２の３−Ｄ体積イメージは、第１の組織の前記第１の３−Ｄ体積イメージの構造比較を行うことができる、イメージと、
（ｖ）前記第１の測定時間の後に測定される第２の組織の第２の３−Ｄ体積イメージであって、前記第２の組織の前記第２の３−Ｄ体積イメージは、第１の組織の前記第１の３−Ｄ体積イメージの構造比較を行うことができる、イメージとからなる群から選択され、
ｅ）等価の視覚方向を使用して、第２の生成２−Ｄ投影イメージを計算するものであり、
ｆ）前記第１の生成２−Ｄ投影イメージと、前記第２の生成２−Ｄ投影イメージと、視覚命令とを、グラフィックス表示ユニットと第２のメモリとを含むリモート表示デバイスに送信するものであり、ここで、前記第１の生成２−Ｄ投影イメージ、前記第２の生成２−Ｄ投影イメージ、および視覚命令は、前記第２のメモリ上に格納され、前記視覚命令は、前記第１の生成２−Ｄ投影イメージおよび前記第２の生成２−Ｄ投影イメージが前記グラフィックス表示ユニット上に表示される際に、前記第１の生成２−Ｄ投影イメージに関して、前記第２の生成２−Ｄ投影イメージの方位を決定する、
方法。
【請求項１６】
前記第１の生成２−Ｄ投影イメージは、
ｉ）微小石灰化、
ｉｉ）直接的な比較を使用して、微小石灰化、および
ｉｉｉ）直接的な比較を使用して、閉塞
を識別するように、前記複数の生成２−Ｄ投影イメージからなる群から選択される、請求項１５に記載の方法。
【請求項１７】
前記第１の生成２−Ｄ投影イメージは、
ｉ）前記第１の生成２−Ｄ投影イメージの識別、
ｉｉ）微小石灰化の識別、
ｉｉｉ）閉塞の識別、
ｉｖ）前記第１の生成２−Ｄ投影イメージの直接的な比較、
ｖ）微小石灰化の直接的な比較、および
ｖｉ）閉塞の直接的な比較、
を改善するように、前記複数の生成２−Ｄ投影イメージからなる群から選択される、請求項１５および１６に記載の方法。
【請求項１８】
前記第１の３−Ｄ体積イメージおよび第２の３−Ｄ体積イメージのうち一方または両方は、デジタル胸部トモシンセシスイメージである、請求項１５から１７に記載の方法。
【請求項１９】
前記第１の組織は右胸部であり、前記第２の組織は左胸部である、請求項１５から１８に記載の方法。
【請求項２０】
１つまたは複数のクライアントデジタルデータプロセッサと、
前記１つまたは複数のクライアント・デジタル・データ・プロセッサと繋がる通信状態にあり、１つまたは複数のグラフィックス・プロセッシング・ユニットと関連メモリとを含む、サーバ・デジタル・データ・プロセッサと、
前記サーバ・デジタル・データ・プロセッサ上で実行され、複数の視覚方向を使用して３−Ｄデジタル胸部トモシンセシス体積イメージの複数の生成２−Ｄ投影イメージを計算し、前記複数の生成２−Ｄ投影イメージを前記関連メモリにキャッシュする、プログラムと、
ブリッキングを使用して１つまたは複数の生成２−Ｄ投影イメージを解析し、前記複数の生成２−Ｄ投影イメージを表す複数のボクセル・マトリックスの強度密度の変化を識別して、閉塞を識別する３つ以上の生成２−Ｄ投影イメージを選択することと、
動的比較として、前記１つまたは複数のクライアント・デジタル・データ・プロセッサ上に、前記３つ以上の生成２−Ｄ投影イメージを表示することと
を含むシステム。